【手続補正書】
【提出日】平成18年3月23日(2006.3.23)
【手続補正１】
【補正対象書類名】明細書
【補正対象項目名】発明の名称
【補正方法】変更
【補正の内容】
【発明の名称】エネルギ搬送制御方法、及びエネルギ搬送制御システム
【手続補正２】
【補正対象書類名】明細書
【補正対象項目名】特許請求の範囲
【補正方法】変更
【補正の内容】
【特許請求の範囲】
【請求項１】  発電手段、及び、排熱を使用して熱媒体を加熱する加熱手段を有し、電力及び熱媒体を搬送する送電線及び熱媒体用配管に接続された複数のエネルギ生成装置へ、情報処理装置から、電力及び／又は熱媒体に対応する排水素又は水素の供給指示及び受取指示を送信して、エネルギ生成装置間で電力及び／又は熱媒体、あるいは対応する排水素又は水素を搬送させるエネルギ搬送制御方法において、
前記発電手段は、水素が供給され、発電過程で排水素を生成するように構成され、前記加熱手段は、排水素又は水素を使用して熱媒体を加熱するように構成され、前記エネルギ生成装置は、排水素又は水素を搬送する水素配管に接続されており、
エネルギ生成装置が生成すべき電力及び／又は熱媒体に基づく電力及び／又は熱媒体の不足に関する不足情報を情報処理装置で受付けるステップと、
不足分の電力及び／又は熱媒体を供給するエネルギ装置を情報処理装置で選択するステップと、
エネルギ生成装置の電力及び／又は熱媒体の余剰に関する余剰情報を情報処理装置で受付けるステップと
を備え、
前記選択するステップは、受付けた不足情報及び余剰情報に基づいて、不足分の電力及び／又は熱媒体を供給するエネルギ生成装置を選択し、
選択したエネルギ生成装置に不足分の電力及び／又は熱媒体に対応する排水素又は水素の供給指示を送信し、前記不足が生じているエネルギ生成装置に不足分の電力及び／又は熱媒体に対応する排水素又は水素の受取指示を送信することを特徴とするエネルギ搬送制御方法。
【請求項２】  エネルギ生成装置は、水素を貯蔵する水素貯蔵部を備えており、
受付けた不足情報及び余剰情報に基づいて、余剰分の熱媒体又は電力に対応する排水素又は水素を蓄積するエネルギ生成装置を情報処理装置で選択するステップと、
選択したエネルギ生成装置へ、余剰分の熱媒体又は電力に対応する排水素又は水素の貯蔵指示を情報処理装置から送信するステップと
を有することを特徴とする請求項１記載のエネルギ搬送制御方法。
【請求項３】  発電手段、及び、排熱を使用して熱媒体を加熱する加熱手段を有し、電力及び熱媒体を搬送する送電線及び熱媒体用配管に接続された複数のエネルギ生成装置へ、情報処理装置から、電力及び／又は熱媒体に対応する排水素又は水素の供給指示及び受取指示を送信して、エネルギ生成装置間で電力及び／又は熱媒体、あるいは対応する排水素又は水素を搬送させるエネルギ搬送制御システムにおいて、
前記発電手段は、水素が供給され、発電過程で排水素を生成するように構成され、前記加熱手段は、排水素又は水素を使用して熱媒体を加熱するように構成され、前記エネルギ生成装置は、排水素又は水素を搬送する水素配管に接続されており、
エネルギ生成装置が生成すべき電力及び／又は熱媒体に基づく電力及び／又は熱媒体の不足に関する不足情報を受付ける不足情報受付手段と、
不足分の電力及び／又は熱媒体を供給するエネルギ装置を選択する選択手段と、
エネルギ生成装置の電力及び／又は熱媒体の余剰に関する余剰情報を受付ける余剰情報受付手段と
を備え、
前記選択手段は、受付けた不足情報及び余剰情報に基づいて、不足分の電力及び／又は熱媒体を供給するエネルギ生成装置を選択し、
選択したエネルギ生成装置に不足分の電力及び／又は熱媒体に対応する排水素又は水素の供給指示を送信し、前記不足が生じているエネルギ生成装置に不足分の電力及び／又は熱媒体に対応する排水素又は水素の受取指示を送信するようにしてあることを特徴とするエネルギ搬送制御システム。
【請求項４】  前記エネルギ生成装置は、水素を貯蔵する水素貯蔵部を備えており、
受付けた不足情報及び余剰情報に基づいて、余剰分の熱媒体又は電力に対応する排水素又は水素を蓄積するエネルギ生成装置を情報処理装置で選択する手段と、
選択したエネルギ生成装置へ、余剰分の熱媒体又は電力に対応する排水素又は水素の貯蔵指示を情報処理装置から送信する手段と
を有することを特徴とする請求項３記載のエネルギ搬送制御システム。
【手続補正３】
【補正対象書類名】明細書
【補正対象項目名】０００１
【補正方法】変更
【補正の内容】
【０００１】
【発明の属する技術分野】
本発明は、エネルギ生成装置間のエネルギの搬送を制御するエネルギ搬送制御方法、及びエネルギ搬送制御システムに関する。
【手続補正４】
【補正対象書類名】明細書
【補正対象項目名】０００５
【補正方法】変更
【補正の内容】
【０００５】
本発明は斯かる事情に鑑みてなされたものであり、電力及び／又は熱媒体の不足に関する不足情報を受付け、不足分の電力及び／又は熱媒体を供給するエネルギ装置を選択して供給指示を送信すると共に、前記不足が生じているエネルギ生成装置に受取指示を送信することにより、供給指示を受付けたエネルギ生成装置から受取指示を受け付けたエネルギ生成装置へ、不足分のエネルギを搬送することができるエネルギ搬送制御方法、及びエネルギ搬送制御システムを提供することを目的とする。
【手続補正５】
【補正対象書類名】明細書
【補正対象項目名】０００６
【補正方法】変更
【補正の内容】
【０００６】
また、本発明は、電力及び／又は熱媒体の余剰に関する余剰情報を受付け、受付けた不足情報及び余剰情報に基づいて、不足分の電力及び／又は熱媒体を供給するエネルギ生成装置を選択することにより、電力及び／又は熱媒体が余っているエネルギ生成装置から不足しているエネルギ生成装置へ、電力及び／又は熱媒体を搬送することができるエネルギ搬送制御方法、及びエネルギ搬送制御システムを提供することを目的とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
また、本発明は、電力及び／又は熱媒体に対応する排水素又は水素の供給指示及び受取指示を送信することにより、電力及び熱媒体に比べて取り扱いが容易な排水素又は水素を用いて、電力及び／又は熱媒体の搬送を行うことができるエネルギ搬送制御方法、及びエネルギ搬送制御システムを提供することを更に他の目的とする。
【手続補正９】
【補正対象書類名】明細書
【補正対象項目名】００１０
【補正方法】変更
【補正の内容】
【００１０】
【課題を解決するための手段】
第１発明に係るエネルギ搬送制御方法は、発電手段、及び、排熱を使用して熱媒体を加熱する加熱手段を有し、電力及び熱媒体を搬送する送電線及び熱媒体用配管に接続された複数のエネルギ生成装置へ、情報処理装置から、電力及び／又は熱媒体に対応する排水素又は水素の供給指示及び受取指示を送信して、エネルギ生成装置間で電力及び／又は熱媒体、あるいは対応する排水素又は水素を搬送させるエネルギ搬送制御方法において、前記発電手段は、水素が供給され、発電過程で排水素を生成するように構成され、前記加熱手段は、排水素又は水素を使用して熱媒体を加熱するように構成され、前記エネルギ生成装置は、排水素又は水素を搬送する水素配管に接続されており、エネルギ生成装置が生成すべき電力及び／又は熱媒体に基づく電力及び／又は熱媒体の不足に関する不足情報を情報処理装置で受付けるステップと、不足分の電力及び／又は熱媒体を供給するエネルギ装置を情報処理装置で選択するステップと、エネルギ生成装置の電力及び／又は熱媒体の余剰に関する余剰情報を情報処理装置で受付けるステップとを備え、前記選択するステップは、受付けた不足情報及び余剰情報に基づいて、不足分の電力及び／又は熱媒体を供給するエネルギ生成装置を選択し、選択したエネルギ生成装置に不足分の電力及び／又は熱媒体に対応する排水素又は水素の供給指示を送信し、前記不足が生じているエネルギ生成装置に不足分の電力及び／又は熱媒体に対応する排水素又は水素の受取指示を送信することを特徴とする。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
第２発明に係るエネルギ搬送制御方法は、第１発明において、エネルギ生成装置は、水素を貯蔵する水素貯蔵部を備えており、受付けた不足情報及び余剰情報に基づいて、余剰分の熱媒体又は電力に対応する排水素又は水素を蓄積するエネルギ生成装置を情報処理装置で選択するステップと、選択したエネルギ生成装置へ、余剰分の熱媒体又は電力に対応する排水素又は水素の貯蔵指示を情報処理装置から送信するステップとを有することを特徴とする。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
第３発明に係るエネルギ搬送制御システムは、発電手段、及び、排熱を使用して熱媒体を加熱する加熱手段を有し、電力及び熱媒体を搬送する送電線及び熱媒体用配管に接続された複数のエネルギ生成装置へ、情報処理装置から、電力及び／又は熱媒体に対応する排水素又は水素の供給指示及び受取指示を送信して、エネルギ生成装置間で電力及び／又は熱媒体、あるいは対応する排水素又は水素を搬送させるエネルギ搬送制御システムにおいて、前記発電手段は、水素が供給され、発電過程で排水素を生成するように構成され、前記加熱手段は、排水素又は水素を使用して熱媒体を加熱するように構成され、前記エネルギ生成装置は、排水素又は水素を搬送する水素配管に接続されており、エネルギ生成装置が生成すべき電力及び／又は熱媒体に基づく電力及び／又は熱媒体の不足に関する不足情報を受付ける不足情報受付手段と、不足分の電力及び／又は熱媒体を供給するエネルギ装置を選択する選択手段と、エネルギ生成装置の電力及び／又は熱媒体の余剰に関する余剰情報を受付ける余剰情報受付手段とを備え、前記選択手段は、受付けた不足情報及び余剰情報に基づいて、不足分の電力及び／又は熱媒体を供給するエネルギ生成装置を選択し、選択したエネルギ生成装置に不足分の電力及び／又は熱媒体に対応する排水素又は水素の供給指示を送信し、前記不足が生じているエネルギ生成装置に不足分の電力及び／又は熱媒体に対応する排水素又は水素の受取指示を送信するようにしてあることを特徴とする。
第４発明に係るエネルギ搬送制御システムは、第３発明において、前記エネルギ生成装置は、水素を貯蔵する水素貯蔵部を備えており、受付けた不足情報及び余剰情報に基づいて、余剰分の熱媒体又は電力に対応する排水素又は水素を蓄積するエネルギ生成装置を情報処理装置で選択する手段と、選択したエネルギ生成装置へ、余剰分の熱媒体又は電力に対応する排水素又は水素の貯蔵指示を情報処理装置から送信する手段とを有することを特徴とする。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】変更
【補正の内容】
【００３３】
第１、第３発明においては、エネルギ生成装置の電力及び／又は熱媒体の不足に関する不足情報を受付け、不足分の電力及び／又は熱媒体を供給するエネルギ装置を選択し、選択したエネルギ生成装置に不足分の電力及び／又は熱媒体に対応する排水素又は水素の供給指示を送信すると共に、前記不足が生じているエネルギ生成装置に不足分の電力及び／又は熱媒体に対応する排水素又は水素の受取指示を送信する。供給指示を受付けたエネルギ生成装置は、指示された不足分の電力及び／又は熱媒体に対応する排水素又は水素を、水素配管に供給する。また、受取供給指示を受付けたエネルギ生成装置は、指示された不足分の電力及び／又は熱媒体に対応する排水素又は水素を、水素配管から受取る。
【手続補正３３】
【補正対象書類名】明細書
【補正対象項目名】００３４
【補正方法】変更
【補正の内容】
【００３４】
また、エネルギ生成装置の電力及び／又は熱媒体の余剰に関する余剰情報を受付け、受付けた不足情報及び余剰情報に基づいて、不足分の電力及び／又は熱媒体を供給するエネルギ生成装置を選択する。電力及び／又は熱媒体が余っているエネルギ生成装置を選択して、供給指示を与えることにより、電力及び／又は熱媒体が余っているエネルギ生成装置から不足しているエネルギ生成装置へ、電力及び／又は熱媒体を搬送することができる。
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】変更
【補正の内容】
【００３７】
なお、発電手段は、水素が供給されると共に発電過程で排水素を生成し、加熱手段は、排水素又は水素を使用して熱媒体を加熱し、エネルギ生成装置は、排水素又は水素を搬送する水素配管に接続されている。排水素又は水素は、発電手段に供給して電力を生成したり、加熱手段に供給して熱媒体の加熱に使用できるため、電力及び熱媒体の代用として排水素又は水素を搬送することが可能である。電力及び熱媒体に比べて取り扱いが容易な排水素又は水素を用いて、電力及び／又は熱媒体の搬送を行うことができる。
【手続補正３７】
【補正対象書類名】明細書
【補正対象項目名】００３８
【補正方法】変更
【補正の内容】
【００３８】
第２、第４発明においては、エネルギ生成装置は、水素を貯蔵する水素貯蔵部を備えている。不足情報及び余剰情報に基づいて、余剰分の熱媒体又は電力に対応する排水素又は水素を蓄積するエネルギ生成装置を選択する。また、選択したエネルギ生成装置に、余剰分の熱媒体又は電力に対応する排水素又は水素の貯蔵指示を送信する。貯蔵指示を受付けたエネルギ生成装置は、余剰分の熱媒体又は電力に対応する排水素又は水素を、水素貯蔵部に貯蔵する。水素貯蔵部に貯蔵された排水素又は水素は、熱媒体又は電力が不足するエネルギ生成装置が使用することが可能である。
【手続補正３８】
【補正対象書類名】明細書
【補正対象項目名】００３９
【補正方法】削除
【補正の内容】
【手続補正３９】
【補正対象書類名】明細書
【補正対象項目名】００８４
【補正方法】変更
【補正の内容】
【００８４】
【発明の効果】
第１又は第３発明によれば、電力及び／又は熱媒体の不足に関する不足情報を受付け、不足分の電力及び／又は熱媒体を供給するエネルギ装置を選択して供給指示を送信すると共に、前記不足が生じているエネルギ生成装置に受取指示を送信することにより、供給指示を受付けたエネルギ生成装置から受取指示を受け付けたエネルギ生成装置へ、不足分のエネルギを搬送することができる。
【手続補正４０】
【補正対象書類名】明細書
【補正対象項目名】００８５
【補正方法】変更
【補正の内容】
【００８５】
また、電力及び／又は熱媒体の余剰に関する余剰情報を受付け、受付けた不足情報及び余剰情報に基づいて、不足分の電力及び／又は熱媒体を供給するエネルギ生成装置を選択することにより、電力及び／又は熱媒体が余っているエネルギ生成装置から不足しているエネルギ生成装置へ、電力及び／又は熱媒体、あるいは対応する排水素又は水素を搬送することができる。
【手続補正４１】
【補正対象書類名】明細書
【補正対象項目名】００８６
【補正方法】削除
【補正の内容】
【手続補正４２】
【補正対象書類名】明細書
【補正対象項目名】００８７
【補正方法】削除
【補正の内容】
【手続補正４３】
【補正対象書類名】明細書
【補正対象項目名】００８８
【補正方法】変更
【補正の内容】
【００８８】
さらに、電力及び／又は熱媒体に対応する排水素又は水素の供給指示及び受取指示を送信することにより、電力及び熱媒体に比べて取り扱いが容易な排水素又は水素を用いて、電力及び／又は熱媒体の搬送を行うことができる。
【手続補正４４】
【補正対象書類名】明細書
【補正対象項目名】００８９
【補正方法】変更
【補正の内容】
【００８９】
第２又は第４発明によれば、余剰分の熱媒体又は電力に対応する排水素又は水素を水素貯蔵部に貯蔵することにより、貯蔵した排水素又は水素を、熱媒体又は電力が不足するエネルギ生成装置が使用することが可能である。また、余剰分の熱媒体又は電力に対応する排水素又は水素を排出して水素貯蔵部に蓄積することにより、蓄積した排水素又は水素を、熱媒体又は電力が不足するエネルギ生成装置が使用することが可能である。